(57)【要約】【課題】低級アルコールのように原液の引火点を低下させる溶剤を含まず、十分な発泡力を有するとともに、噴霧された泡状体がレンジ周りの油汚れに付着し、その泡状体を消泡せしめることによって、洗浄効果に有利な液状に近い状態となして噴霧対象物の洗浄効率を高め、その後の拭き取り作業を容易にすることができる発泡性洗剤組成物の提供。【課題の解決手段】（Ａ）非イオン界面活性剤又はアニオン界面活性剤から選ばれる1種以上、（Ｂ）油剤、（Ｃ）一般式Ｉで表される化合物を1種以上、Ｒ1  −(Ｏ−Ｒ2)ｍ−ＯＨ        （Ｉ）（ここに、Ｒ1はＣ3−Ｃ6のアルキル基又は置換してもよいフェニル基を表わし、Ｒ2はＣ2−Ｃ3のアルキレン基を表わし、ｍは１〜３の整数である。）（Ｄ）アルカリ剤及び（Ｅ）水を含有する洗浄液と、（Ｆ）液化ガスとをエアゾール容器に充填してなる発泡性洗剤組成物であって、洗浄効率及び拭き取り性を高めた、レンジ周りで使用しても安全性の高い発泡性洗剤組成物。【選択図】なし【特許請求の範囲】
【請求項１】
（Ａ）非イオン界面活性剤及び／又はアニオン界面活性剤から選ばれる1種以上、（Ｂ）油剤、（Ｃ）一般式Ｉで表される化合物を1種以上、
Ｒ1  −(Ｏ−Ｒ2)ｍ−ＯＨ        （Ｉ）
（ここに、Ｒ1はＣ3−Ｃ6のアルキル基又は置換してもよいフェニル基を表わし、Ｒ2はＣ2−Ｃ3のアルキレン基を表わし、ｍは１〜３の整数である。）
（Ｄ）アルカリ剤及び（Ｅ）水を含有する洗浄液と、（Ｆ）液化ガスとをエアゾール容器に充填してなる発泡性洗剤組成物であって、前記エアゾール容器から噴霧された泡状体を噴霧対象物に付着させた後、消泡せしめることによって前記噴霧対象物の洗浄効率及び拭き取り性を高めた発泡性洗剤組成物。
【請求項２】
前記（Ａ）非イオン界面活性剤及び／又はアニオン界面活性剤から選ばれる1種以上を０．１〜１０質量％、（Ｂ）油剤を０．５〜４．０質量％、（Ｃ）一般式Ｉで表される化合物1種以上を１．０〜１０質量％、
Ｒ1  −(Ｏ−Ｒ2)ｍ−ＯＨ        （Ｉ）
（ここに、Ｒ1はＣ3−Ｃ6のアルキル基又は置換してもよいフェニル基を表わし、Ｒ2はＣ2−Ｃ3のアルキレン基を表わし、ｍは１〜３の整数である。）
（Ｄ）アルカリ剤を１．０〜１０質量％を含有する請求項１記載の発泡性洗浄剤組成物。
【請求項３】
前記非イオン界面活性剤が、アミンオキシド及び／又はポリオキシアルキレンアルキルエーテルである請求項１又は２に記載の発泡性洗浄剤組成物。
【請求項４】
前記（Ｂ）油剤が、Ｃ10−Ｃ20のパラフィン系炭化水素及び／又は精油である請求項１乃至３のいずれか１項に記載の発泡性洗剤組成物。
【発明の詳細な説明】
【技術分野】
【０００１】
本発明は、台所のレンジ周り等の油汚れの洗浄をするにあたり、エアゾールの形態で使用される洗剤組成物であって、噴霧された泡状体が噴霧対象物に付着し、その泡状体を消泡せしめることによって噴霧対象物の洗浄効率を高めた発泡性洗剤組成物に関する。
【背景技術】
【０００２】
台所のレンジ周りの洗浄剤はシャワータイプ、トリガースプレータイプ、エアゾールスプレータイプなど各種市販されている。発泡させて洗浄液を付着させるタイプは、洗浄剤を処理した部分をわかりやすくする効果がある一方、泡のままで残っていると拭き取りにくいという欠点があり、泡で付着した後、速やかに消泡することが望まれる。更に、特許文献１、及び特許文献２（特公平６−７２２３９号公報、及び特公平７−３０３６０号公報等）には、付着した泡状体が、消泡することで一層、洗浄力を高め得ることも知られている。
【０００３】
ところで、液剤をエアゾールで発泡し、スプレー後消泡させる製剤の提案としては、例えば、特許文献３（特開２０１２−４６７２５）には、起泡剤としてポリオキシエチレンアルキルエーテル、水溶性溶剤として炭素数２または３の１価アルコール、ポリオール、水、及び油分を含有する原液と液化ガスとからなり、対象物上で発泡後あるいは泡状に付着した後で、泡がはじけるように破泡する発泡性エアゾール組成物が開示されており、又、特許文献４（特許第３５５８３９３号公報）には、低級アルコール、水、油成分、特定のノニオン界面活性剤を含有する原液と、蒸気圧が２５℃で２〜７ｋｇ／ｃｍ２・Ｇの噴射剤からなり、噴射させたときに泡状となり、破泡させなくても自ら消泡する起泡性エアゾール組成物が開示されているが、両発明の原液には、引火点を低下させる低級アルコールが配合されており、火気のあるレンジ周りでの使用には向かない。
【先行技術文献】
【特許文献】
【０００４】
【特許文献１】特公平６−７２２３９号公報
【特許文献２】特公平７−３０３６０号公報
【特許文献３】特開２０１２−４６７２５号公報
【特許文献４】特許第３５５８３９３号公報
【発明の概要】
【発明が解決しようとする課題】
【０００５】
本発明は、低級アルコールのように原液の引火点を著しく低下させる溶剤を含まず、十分な発泡力を有し噴霧された泡状体がレンジ周り等の油汚れに付着した後、その泡状体を速やかに消泡せしめることによって、噴霧対象物の洗浄効率を高め、その後の拭き取り作業を容易にすることができ、レンジ周りで使用しても安全性の高い発泡性洗剤組成物を提供することを目的とする。
【課題を解決するための手段】
【０００６】
本発明は、以下の構成が上記目的を達成するために優れた効果を奏することを見出したものである。
（１）（Ａ）非イオン界面活性剤及び／又はアニオン界面活性剤から選ばれる1種以上、（Ｂ）油剤、（Ｃ）一般式Ｉで表される化合物を1種以上、
Ｒ1  −(Ｏ−Ｒ2)ｍ−ＯＨ        （Ｉ）
（ここに、Ｒ1はＣ3−Ｃ6のアルキル基又は置換してもよいフェニル基を表わし、Ｒ2はＣ2−Ｃ3のアルキレン基を表わし、ｍは１〜３の整数である。）
（Ｄ）アルカリ剤及び（Ｅ）水を含有する洗浄液と、（Ｆ）液化ガスとをエアゾール容器に充填してなる発泡性洗剤組成物であって、前記エアゾール容器から噴霧された泡状体を噴霧対象物に付着させた後、消泡せしめることによって前記噴霧対象物の洗浄効率及び拭き取り性を高めた発泡性洗剤組成物。
（２）前記（Ａ）非イオン界面活性剤及び／又はアニオン界面活性剤から選ばれる1種以上を０．１〜１０質量％、（Ｂ）油剤を０．５〜４．０質量％、（Ｃ）一般式Ｉで表される化合物1種以上を１．０〜１０質量％、
Ｒ1  −(Ｏ−Ｒ2)ｍ−ＯＨ        （Ｉ）
（ここに、Ｒ1はＣ3−Ｃ6のアルキル基又は置換してもよいフェニル基を表わし、Ｒ2はＣ2−Ｃ3のアルキレン基を表わし、ｍは１〜３の整数である。）
（Ｄ）アルカリ剤を１．０〜１０質量％含有する（１）に記載の発泡性洗浄剤組成物。
（３）前記非イオン界面活性剤が、アミンオキシド及び／又はポリオキシアルキレンアルキルエーテルである（１）又は（２）に記載の発泡性洗剤組成物。
（４）前記（Ｂ）油剤が、Ｃ10−Ｃ20のパラフィン系炭化水素及び／又は精油である（１）乃至（３）のいずれか１に記載の発泡性洗剤組成物。
【発明の効果】
【０００７】
本発明の発泡性洗剤組成物は、低級アルコールのように原液の引火点を著しく低下させる溶剤を含まず、十分な発泡力を有し噴霧された泡状体がレンジ周り等の油汚れに付着した後、その泡状体を速やかに消泡せしめることによって噴霧対象物の洗浄効率を高め、その後のふき取り作業も容易にでき、レンジ周りでも安心して使用できるので、その実用性は極めて高い。
【発明を実施するための形態】
【０００８】
本発明で用いられる成分（Ａ）非イオン界面活性剤及び／又はアニオン界面活性剤から選ばれる1種以上の界面活性剤としては、十分な発泡性と洗浄力を有する限り、通常液体洗浄剤に使用される非イオン界面活性剤及び／又はアニオン界面活性剤のいずれであってもよい。非イオン界面活性剤としては、例えばポリオキシアルキレンアルキルエーテル、ポリオキシエチレンアルキルフェニルエーテル、ポリオキシエチレン高級脂肪酸エステル、ポリオキシエチレンソルビタン脂肪酸エステル、ポリオキシエチレングリセリン脂肪酸エステル、ポリオキシエチレン硬化ヒマシ油、ヤシ油脂肪酸ジエタノールアミド、脂肪酸アルカノールアミド、アミンオキシドなどが挙げられ、アミンオキシド又はポリオキシアルキレンアルキルエーテルが好ましい、アニオン界面活性剤としては、例えば脂肪酸石けん、アルキルベンゼンスルホン酸塩、直鎖アルキルベンゼンスルホン酸塩、アルキル硫酸塩、α―オレフィンスルホン酸塩、アルキルリン酸エステル塩、ポリオキシエチレンアルキルエーテル硫酸塩、ポリオキシエチレンアルキルフェニルエーテル硫酸塩、ポリオキシエチレンアルキルエーテルりん酸塩などが挙げられる。これらの界面活性剤は１種以上を組み合わせて用いることができ、洗浄液中に０．１〜１０質量％配合されるのが好ましい。
【０００９】
成分（Ｂ）の油剤としては、ＩＰソルベント１６２０、ＩＰソルベント２０２８、ＩＰソルベント２８３５（以上出光興産社製）、アイソパーＡ、アイソパーＣ、アイソパーＤ、アイソパーＥ、アイソパーＧ、アイソパーＨ、アイソパーＫ、アイソパーＬ、アイソパーＭ（以上、エクソン社製）、ネオチオゾールなどのパラフィン系炭化水素；流動パラフィン、ワセリン、スクワラン、α−オレフィンオリゴマー、スクワレンなどの炭化水素類；オリーブ油、アーモンド油、ホホバ油、落花生油、ヒマシ油、ヤシ油、パーム油、サフラワー油、ヒマワリ油、綿実油、アボカド油、ツバキ油、トウモロコシ油、小麦胚芽油、コメヌカ油、カカオ油、ゴマ油、月見草油、紅花油、サザンカ油、大豆油、ナタネ油などの植物油；ラノリン、ラノリン誘導体、タートル油、ミンク油、ミツロウ、プリスタン、卵黄油などの動物油；ブチルステアレート、ヘキシルラウレート、イソプロピルミリステート、オクチルドデシルミリステート、イソプロピルパルミテート、ジイソプロピルアジペート、ジイソプロピルセバケートなどの脂肪酸エステル；ｌ−メントール、リモネン、シネオール、リナロール、ピネン、カンファーなどの精油、天然および合成香料などがあげられ、これらは単独でまたは２種以上を混合して用いることができるが、とくにＣ10−Ｃ20のパラフィン系炭化水素、なかでもイソパラフィン系炭化水素、及び／又は精油、なかでもリモネンが好ましく用いられる。（Ｂ）油剤は洗浄液中に０．５〜４．０質量％配合されるのが好ましい。この範囲では、消泡性や当初の泡立ち性にも優れている。
【００１０】
成分（Ｃ）は、下記一般式Ｉで表される化合物である。
Ｒ1  −(Ｏ−Ｒ2)ｍ−ＯＨ        （Ｉ）
（ここに、Ｒ1はＣ3−Ｃ6のアルキル基又は置換してもよいフェニル基を表わし、Ｒ2はＣ2−Ｃ3のアルキレン基を表わし、ｍは１〜３の整数である。）
例えば、エチレングリコールｎ−プロピルエーテル、エチレングリコールｎ−ブチルエーテル、エチレングリコールヘキシルエーテル、プロピレングリコールメチルエーテル、プロピレングリコールｎ−プロピルエーテル、プロピレングリコールｎ−ブチルエーテル、エチレングリコールフェニルエーテル、ジエチレングリコールメチルエーテル、トリエチレングリコールメチルエーテル、ジエチレングリコールエチルエーテル、トリエチレングリコールエチルエーテル、ジエチレングリコールｎ−ブチルエーテル、トリエチレングリコールn−ブチルエーテル、ジエチレングリコールヘキシルエーテル、ジプロピレングリコールメチルエーテル、トリプロピレングリコールメチルエーテル、ジプロピレングリコールｎ−プロピルエーテル、ジプロピレングリコールｎ−ブチルエーテル、トリプロピレングリコールｎ−ブチルエーテル等が挙げられる。それぞれ単独で、又は組み合わせて用いることができ、洗浄液中に１．０〜１０質量％配合されるのが好ましい。
【００１１】
成分（Ｄ）アルカリ剤は、例えば、水酸化物として水酸化ナトリウム、水酸化カリウム等のアルカリ金属又はアルカリ土類金属塩や水酸化テトラメチルアンモニウム等が挙げられる。アミン類では、モノエタノールアミン、モノイソプロパノールアミン、ジエチルエタノールアミン、エチルジエタノールアミン、β−アミノアルカノール、ジエタノールアミン、ジイソプロパノールアミン、２−（メチルアミノ）エタノール、トリエタノールアミン、トリイソプロパノールアミンなどの
アルカノールアミン類、モノメチルアミン、モノエチルアミン、モノプロピルアミン、モノブチルアミン、モノペンチルアミン、シクロヘキシルアミン、ジメチルアミンなどのアルキルアミン類、エチレンジアミン、プロピレンジアミン等のアルキレンアミン類
及びその他類似の物質が挙げられる。これらの化合物を１．０〜１０質量％配合し、ｐＨ１０〜１４の範囲に調整することによって洗浄力を高め得ることができる。
【００１２】
本発明の発泡性洗剤組成物の洗浄液には、（Ｅ）水と共に、更に、エチレンジアミン四酢酸、ヒドロキシエチレンジアミン三酢酸、ニトリロ酢酸などのアミノカルボン酸およびそれらの塩等に代表されるキレート剤、ｐＨ調整剤、防錆剤（安息香酸ナトリウムなど）、除菌剤、消臭剤、香料等を適宜配合してもよい。
【００１３】
本発明に用いられる（Ｆ）液化ガスとしては、２０℃における圧力が０．２３〜０．５０ＭＰａの液化石油ガス（ＬＰＧ）を主体としたものがよく、もちろんこれにジメチルエーテル（ＤＭＥ）や圧縮ガス（窒素など）を必要に応じて添加しても構わない。
【００１４】
本発明で用いられる噴射ボタンとしては、泡を形成するボタンであればいずれであってもよいが、ステムから噴口先端までの距離が５〜５０ｍｍであることが好ましい。５０ｍｍを超えるとボタンの噴口付近に泡がたまるアフタードローが多くなるなど不都合を生じる恐れがある。
【００１５】
次に、具体的実施例に基づいて、本発明の発泡性洗剤組成物をさらに詳細に説明する。
【実施例１】
【００１６】
（Ａ）成分としてのヤシアルキルアミンオキシドを３．０質量％、（Ｂ）成分としてのＩＰクリーンLX（イソパラフィン）を１．０質量％及びＤ−リモネンを１．０質量％、（Ｃ）成分としてジエチレングリコールｎ−ブチルエーテル３．０質量％及びジプロピレングリコールｎ−ブチルエーテル５．０質量％、（Ｄ）成分としてモノエタノールアミンを５．０質量％と、残部として（Ｅ）水を含有する洗浄液を調製した。この洗浄液のｐＨは１１．５であった。
エアゾール容器に上記洗浄液１００ｇと噴射剤としてのＬＰＧ１２ｇとを加圧充填して本発明の発泡性洗剤組成物を得た。
このときのＬＰＧの圧力は０．２９ＭＰａ（２０℃）で、また、噴射ボタンはプリシジョンバルブ株式会社製フレアー孔径０．５１ｍｍを使用した。
【００１７】
レンジ周りの樹脂化した油汚れが付着したタイル壁に対し、本発明の発泡性洗剤組成物をまんべんなく処理したところ、噴霧された泡状体がタイル壁に付着して優れた洗浄効果を発揮した。その泡状体は順次消泡して汚れに密着し、３分後、布で軽く拭き取ることができた。かかる油汚れの付着したタイル壁の洗浄作業は、効率的で極めて実用性の高いものであった。
【００１８】
［試験例１］
実施例１に準じ、表１に示す組成の発泡性洗剤組成物を調製し、下記の洗浄力試験、泡性能試験及び洗浄液の引火点測定を行った。また、比較例として表２に示す組成物を調製し、同様に評価を行った。
（１）洗浄力試験
市販のサラダオイルとコバルトドライヤーを質量比９５：５で混合して、室温で９０分撹拌したものを５×１０ｃｍのステンレス板に０．１ｇ塗布した。１２０℃で６０分加熱後、室温で冷却したものに各種発泡性洗剤組成物をスプレーした。３分間放置後、洗浄力試験機で１５０ｇの加重をかけ、水を含ませたウレタンスポンジで１往復こすり洗いした。流水ですすいだ後、乾燥させ、洗浄前後の重さから、式（１）で洗浄率を求め、以下の評価基準で評価した。
○：洗浄率８０％以上
△：洗浄率５０〜８０％
×：洗浄率５０％未満
洗浄率（％）＝（Ａ−Ｂ）／（Ａ−Ｃ）×１００          （１）
A：洗浄前のステンレス板の重さ
B：洗浄後のステンレス板の重さ
C：ステンレス板の重さ
（２）泡性能
市販のサラダオイルとコバルトドライヤーを質量比９５：５で混合して、室温で１日撹拌したものを３０×４０ｃｍの塩ビ板の長辺方向に１０ｃｍの巾で塗布した。６０℃で１時間加熱後、室温まで冷却したものを垂直に立て、各種発泡性洗剤組成物をスプレーしたときの、発泡性及び消泡性・密着性を観察し、以下の基準で評価した。
＜発泡性＞
○：発泡性がよい
△：発泡はするが、十分ではない
×：ほとんど発泡しない
＜消泡・密着性＞
○：スプレー後消泡して、汚れに密着する。
△：スプレー後、消泡するが、不十分で泡が多く残る。
×：消泡しない
（３）洗浄液の引火点
洗浄液の引火点をＪＩＳ  Ｋ  ２６６５−１：２００７の方法で測定し、以下の評価基準で評価を行った。
○：引火点が４０℃以上
×：引火点が４０℃未満
【００１９】
【表１】
2014080476.tif 000002
（注）＊１  ヤシアルキルジメチルアミンオキシド
＊２  α―オレフィンスルホン酸ナトリウム
＊３  直鎖アルキルベンゼンスルホン酸ナトリウム
＊４  IPクリーンLX  出光製
＊５  エクソールD40  エクソンモービル製
＊６  ジプロピレングリコールｎ−ブチルエーテル
＊７  エチレングリコールフェニルエーテル
【００２０】
【表２】
2014080476.tif 000003
【００２１】
試験の結果、本実施例の発泡性洗剤組成物（実施例２ないし１０）はいずれも油汚れに対して良好な洗浄力を示し、スプレー時に発泡性が良く、垂直面の汚れに対しては消泡することにより密着し、効率的に汚れを落とすことが確認された。また、拭き取り操作も簡便になり、レンジ周りの洗浄作業は極めて効率的なものとなり、洗浄液の引火点も４０℃以上であった。
これに対し、（Ａ）成分の界面活性剤を配合していない比較例７は、洗浄力が低下した上に、発泡しないため、スプレーしても洗浄液が流れてしまい効率が悪くなった。（Ｂ）成分の油剤を配合していない比較例１乃至４、又は（Ｃ）成分一般式Ｉで表される化合物
Ｒ1  −(Ｏ−Ｒ2)ｍ−ＯＨ        （Ｉ）
（ここに、Ｒ1はＣ3−Ｃ6のアルキル基又は置換してもよいフェニル基を表わし、Ｒ2はＣ2−Ｃ3のアルキレン基を表わし、ｍは１〜３の整数である。）
を配合していない比較例６は発泡後消泡しないため、本実施例に比べて、拭き取り操作に時間を要した。（Ｃ）成分の代わりにエタノールを使用した比較例８及び９は、引火点が４０℃未満の危険物に該当した。又、エタノールを１０質量％配合した比較例８は消泡せず、エタノール２０質量％配合した比較例９は消泡する傾向が認められたものの、対象面の状態によって消泡しないことがあった。（Ｄ）成分のアルカリ剤を配合しない比較例５及び９は洗浄力が不十分であった。
【産業上の利用可能性】
【００２２】
本発明の発泡性洗剤組成物は、レンジ周りや換気扇など油汚れだけでなく、その他の油性汚れの洗浄に利用できる可能性がある。